(57)【要約】  ブラウザを実行し、ユニフォームリソースロケータ（ＵＲＬ）を通じてサードパーティのサーバからダウンロードされるウェブページを表示するように構成されたクライアントデバイスに用いられるコンピュータマーケティングシステムおよびその方法が提供されている。通常、この方法は、クライアントデバイスから直前にダウンロードされたウェブページのＵＲＬをカタログサーバにおいて受信し、このＵＲＬに関連するカタログクリップをカタログサーバからクライアントデバイスへ供与する。【選択図】図２
2008525872.tif 000002
【特許請求の範囲】
【請求項１】
ブラウザを実行し、ユニフォームリソースロケータ（ＵＲＬ）を通じてサードパーティのサーバからダウンロードされるウェブページを表示するように構成されたクライアントデバイスに用いられるコンピュータマーケティングシステムであって、
各々が製品に関連するデータを含んでいるとともに、ウェブページのＵＲＬごとにインデックスが付されている複数のカタログクリップを格納するように構成されているカタログクリップ登録データベースと、
前記データベースにリンクされているとともに、前記クライアントデバイスのカタログ表示ウィンドウ枠に表示するために、コンピュータネットワークを通じて前記データベースからのカタログクリップを前記クライアントへ供与するように構成されているカタログサーバと、
前記クライアントデバイスにより実行可能であり、実行されると、ユーザに前記ウェブページの前記ＵＲＬに関連づけされているユーザカタログクリップを作成させ、前記カタログクリップ登録データベースに前記カタログクリップを格納させることを可能とするカタログツールを表示するように構成されているカタログクライアントとを備えており、
前記カタログクライアントが、前記ブラウザに表示された各ウェブページのＵＲＬを前記カタログサーバへ伝達し、前記カタログ表示ウィンドウ枠内に表示するために、前記カタログサーバに対してカタログクリップを要求するようにさらに構成されており、
前記カタログサーバが、あるＵＲＬのウェブページを前記ブラウザにダウンロードしたというメッセージを前記カタログクライアントから受信するように構成され、これに応答して、前記カタログサーバが、そのＵＲＬのインデックスを付されているカタログクリップを、前記カタログクリップ登録データベースから前記カタログ表示ウィンドウ枠へ供与するように構成されてなる、システム。 
【請求項２】
前記カタログツールが、前記ＵＲＬのウェブページからのデータを構文解析し、前記カタログクリップを作成するためのデータを自動的に抽出するように構成されてなる、請求項１記載のシステム。
【請求項３】
自動的に抽出される前記データが価格データを含んでなる、請求項２記載のシステム。
【請求項４】
自動的に抽出される前記データが製品コードデータを含んでなる、請求項２記載のシステム。
【請求項５】
自動的に抽出される前記データが前記ウェブページのＵＲＬアドレスを含んでなる、請求項２記載のシステム。
【請求項６】
前記カタログツールが、前記カタログクリップを作成するために、前記ユーザに製品データを手動で入力させることを可能とするように構成されているユーザインタフェースを有してなる、請求項１記載のシステム。
【請求項７】
前記カタログ表示ウィンドウ枠が、カタログクリップの有料表示のための有料表示領域を有しており、前記カタログサーバシステムが、前記カタログ表示ウィンドウ枠の前記有料表示領域へ有料クリップを供与するように構成されてなる、請求項１記載のシステム。 
【請求項８】
前記カタログ表示ウィンドウ枠の前記有料表示領域のクリップ表示画面の販売を管理するように構成されているトークンサーバをさらに備えてなる、請求項７のシステム。
【請求項９】
前記トークンサーバが、収益配分モデルに基づいて、有料クリップ表示画面から得られる収益の分配を割り当てるように構成されてなる、請求項８記載のシステム。
【請求項１０】
前記トークンサーバが、あるＵＲＬのウェブサイトの隣に表示するように供与されたクリップから生じる収益のうちの一部を、前記ウェブサイトのオーナへ配分するように構成されてなる、請求項９記載のシステム。
【請求項１１】
前記カタログ表示ウィンドウ枠が、カタログクリップの無料表示のための無料表示領域を有してなる、請求項１記載のシステム。
【請求項１２】
前記カタログクライアントが、ユーザに前記カタログ表示画面の前記無料表示領域に表示されるクリップの供給源を選択させることを可能とするように構成されてなる、請求項１１記載のシステム。
【請求項１３】
前記カタログクライアントが、前記カタログ表示ウィンドウ枠の前記無料表示領域にピアークリップを表示するように構成されうる、請求項１１記載のシステム。
【請求項１４】
前記カタログクライアントが、前記カタログ表示ウィンドウ枠の前記無料表示領域にユーザクリップを表示するように構成されうる、請求項１１記載のシステム。
【請求項１５】
前記カタログクライアントが、ピアークライアントデバイスに表示するために、ユーザに前記カタログサーバを通じてユーザクリップをブロードキャストさせることを可能とするように構成されうる、請求項１１記載のシステム。
【請求項１６】
ブラウザを実行し、ユニフォームリソースロケータ（ＵＲＬ）を通じてサードパーティのサーバからダウンロードされるウェブページを表示するように構成されたクライアントデバイスに用いられるコンピュータマーケティングシステムであって、
ユニフォームリソースロケータ（ＵＲＬ）によりアドレス可能で、サードパーティのウェブサーバからのウェブページを表示するように構成されている第一のウィンドウと、
複数のカタログクリップを表示するように構成されている第二のウィンドウとを備えており、
各カタログクリップがカタログクリップ登録データベースに格納されており、
各クリップが、前記ウェブページのＵＲＬに関連づけされ、前記サードパーティサーバからの前記ウェブページのダウンロードに応答して、カタログサーバシステムにより供与されるように構成されてなる、システム。
【請求項１７】
ブラウザを実行し、ユニフォームリソースロケータ（ＵＲＬ）を通じてサードパーティのサーバからダウンロードされるウェブページを表示するように構成されたクライアントデバイスに用いられるコンピュータマーケティング方法であって、
クライアントデバイスから直前にダウンロードされたウェブページのＵＲＬをカタログサーバにおいて受信することと、
前記ＵＲＬに関連づけされたカタログクリップを、前記カタログサーバから前記クライアントデバイスへ供与することとを含んでいる、方法。
【請求項１８】
前記カタログクリップが、前記カタログサーバから前記クライアントデバイスへ供与される、前記ＵＲＬに関連づけされている複数のカタログクリップのうちの１つであり、前記複数のカタログクリップが、カタログ表示ウィンドウ枠の有料領域および無料領域に表示されるようにそれぞれ対応して構成されている有料カタログクリップおよび無料カタログクリップを含んでいる、請求項１７記載の方法。
【請求項１９】
前記カタログ表示ウィンドウ枠にピアーカタログクリップを表示する要求を、前記クライアントデバイスから受信することと、
前記カタログ表示ウィンドウ枠にピアーカタログクリップを供与することとをさらに含んでいる、請求項１８記載の方法。
【請求項２０】
ピアークライアントデバイスのカタログ表示ウィンドウ枠に表示するために、ユーザクリップをブロードキャストする要求を前記クライアントデバイスから受信することをさらに含んでいる、請求項１８記載の方法。 
【発明の詳細な説明】
【技術分野】
【０００１】
本発明は、一般的にマーケティングシステムに関するものであり、さらに詳細には、ウェブをベースしたマーケティングシステムに関するものである。
【背景技術】
【０００２】
本出願は、２００５年３月７日に出願され、「有機的ウェブマーケティング（ＯＲＧＡＮＩＣ  ＷＥＢ  ＭＡＲＫＥＴＩＮＧ）という表題を有し、ここで参照することによりその全内容が本明細書に援用される米国特許仮出願第６０／６５９，５１０号に基づき優先権を主張するものである。
【０００３】
通常、消費者は、興味のある特定の事項に関する情報を収集するために、インターネット検索に多くの時間を費やすことがある。多くの場合、消費者は、すべての情報を収集するために、複数のウェブサイトを検索しなければならないこともある。また、消費者は、興味のある事項に関する意見を共有すべく、インスタントメッセージプログラムまたは社会ネットワークを通じて、さまざまなピアー（仲間）とさらに接触しうる。
【０００４】
その一方で、ｅビジネス商人およびマーケティングアドバイザは、消費者の意図を確認するために多くのリソースを投入する。これらの消費者の意図に基づいて、商人およびマーケティングアドバイザは、製品および／またはサービスを市場に投入して販売するために、消費者を自分達のウェブサイトに引き込む有効なアプローチを構築しようと試みている。
【発明の開示】
【発明が解決しようとする課題】
【０００５】
従来、ｅビジネス商人およびマーケティングアドバイザは、消費者を自分達の製品およびサービスに引き込むためにさまざま手法を適用してきた。１つの手法は、自分達のウェブサイトへ消費者を引き込むために、サードパーティのウェブサイトにバナー広告を掲載することである。しかしながら、広告スペースを得るためのサードパーティのウェブサイトとの交渉過程には、非常に努力を要し、広告を掲載するに当たって望ましいウェブサイトがバナー広告を許可してくれない場合もある。
【０００６】
サードパーティウェブサイトとの交渉を回避する他の手法としては、ポップアップ広告がある。ウェブサイトが閲覧されているときにポップアップ広告が開始されるように、ポップアップ広告を個々のウェブサイトにリンクすることができる。ポップアップ広告に関連する１つの問題は、それらがインターネット上で臨界量に達しているということである。通常、消費者は、大量のポップアップ広告に遭遇するため、これらのポップアップ広告を無視する。さらに、インターネットブラウザの多くが、それらのプログラムの中にポップアップ広告遮断ソフトウェアを統合している。このため、ポップアップ広告は、インターネットにおけるマーケティング形態として時代遅れとなってきている。
【０００７】
さらに、マーケット調査会社は、試みとして、追跡下の複数のウェブサイトにおけるユーザの挙動を追跡することにより、行動ターゲティングを実施し始めている。しかしながら、現在の追跡システムにおいては、ユーザのデバイスがサードパーティからのクッキーを受け入れ維持することが必要とされていることが一般的である。クッキーを受け入れて維持することは、セキュリティおよびプライバシに関する不安が大きくなるので、一部のコンピュータユーザの間ではますます嫌われてきている。さらに、検出されたクリックがユーザによって意図的になされたものなのかまたはロボットにより実行されたものなのかを判断することが困難であるため、追跡された統計的結果の有効性が問題となっている。
【課題を解決するための手段】
【０００８】
ブラウザを実行し、ユニフォームリソースロケータ（ＵＲＬ）を通じてサードパーティのサーバからダウンロードされるウェブページを表示するように構成されたクライアントデバイスに用いられる、コンピュータを用いたマーケティングシステムが提供されている。通常、かかるシステムは、各々が製品に関連するデータを含むとともに、ウェブページのＵＲＬごとにインデックスを付されている複数のカタログクリップを格納するように構成されているカタログクリップ登録データベースを備えている。また、かかるシステムは、データベースにリンクされているとともに、クライアントデバイスのカタログ表示ウィンドウ枠上で表示するためにコンピュータネットワークを通じてデータベースからのカタログクリップをクライアントへ供与するように構成されているカタログサーバをさらに備えている。また、かかるシステムは、クライアントデバイスにより実行可能であるとともに、実行されると、ユーザに、ウェブページのＵＲＬに関連づけされているユーザカタログクリップを作成させ、カタログクリップ登録データベースにカタログクリップを格納させることを可能とするカタログツールを表示するように構成されているカタログクライアントをさらに備えている。カタログクライアントは、ブラウザに表示された各ウェブページのＵＲＬをカタログサーバへ伝達し、カタログ表示ウィンドウ枠内に表示するために、カタログサーバにカタログクリップを要求するようにさらに構成されている。通常、カタログサーバは、あるＵＲＬのウェブページをブラウザにダウンロードしたというメッセージをカタログクライアントから受信するように構成され、これに応答して、カタログサーバが、そのＵＲＬのインデックスを付されているカタログクリップを、カタログクリップ登録データベースからカタログ表示ウィンドウ枠へ供与するように構成されている。 
【０００９】
本発明の他の態様によれば、マーケティングシステムは、サードパーティのウェブサーバからの、ユニフォームリソースロケータ（ＵＲＬ）によりアドレス可能なウェブページを表示するように構成されている第一のウィンドウと、複数のカタログクリップを表示するように構成されている第二のウィンドウとを備えうる。各カタログクリップが、通常、カタログクリップ登録データベースに格納され、各クリップが、通常、前記ウェページのＵＲＬに関連づけされ、前記サードパーティサーバから前記ウェブページをダウンロードすることに応答して、カタログサーバシステムにより供与されるようになっている。
【００１０】
本発明の他の態様によれば、ブラウザを実行し、ユニフォームリソースロケータ（ＵＲＬ）を通じてサードパーティのサーバからダウンロードされるウェブページを表示するように構成されたクライアントデバイスに用いられるコンピュータによるマーケティング方法が提供されている。かかる方法は、通常、クライアントデバイスから直前にダウンロードされたウェブページのＵＲＬをカタログサーバで受信することと、上記のＵＲＬに関連づけされているカタログクリップをカタログサーバからクライアントデバイスへ供与することとを含んでいる。
【００１１】
本発明は、添付の図面において、限定することを意図するのではなく例示することのみを意図して示されている。図面においては、同様の参照番号は同様の部材を示している。
【発明を実施するための最良の形態】
【００１２】
図１には、本発明の１つの実施形態にかかるコンピュータマーケティングシステム１０が示されている。このマーケティングシステム１０は、典型的には、インターネットの如き広域コンピュータネットワーク１６を通じて一または複数のクライアントデバイス１４と通信するように構成されているカタログサーバ装置１２を備えている。クライアントデバイス１４には、ユーザクライアント１８、一または複数のピアークライアント２０、ウェブサイトオーナクライアント２２、マーケティングアドバイザクライアント２４および販売業者クライアント２６が含まれうる。また、コンピュータマーケティングシステム１０は、一または複数のウェブサイトサーバ１３を備えうる。
【００１３】
図２および図３に示されているように、各クライアントデバイス１４は、ウェブページ３０を表示するように構成されているブラウザ２８を実行するように構成され、また、カタログツールインターフェイス３４およびカタログ表示領域３５を表示するように構成されているカタログクライアント３２を実行するようにさらに構成されている。通常、カタログ表示領域は、ウェブページ３０が表示されているウェブページウィンドウ枠３１に隣接するブラウザ２８内のウィンドウ枠である。しかしながら、いうまでもなく、カタログ表示領域および／またはカタログツールインターフェイスがブラウザ２８とは別々に提供されてもよい。
【００１４】
通常、カタログサーバシステム１２は、カタログサーバ３６と、カタログクリップ登録データベース３８と、マーケットリサーチサーバ４０と、トークンサーバ４２とを備えており、これらすべてが、ローカルエリアネットワーク４４を通じておよびワイドエリアネットワーク４６を通じて通信するように構成されている。
【００１５】
カタログクリップ登録データベース３８は、符号４６により包括的に示されている複数のカタログクリップを格納するように構成されている。通常、各カタログクリップは、製品に関するデータを有し、ウェブページ３０のＵＲＬによってデータベース内でインデックスが付されている。さまざまな供給源からのクリップがデータベース内に格納されてもよい。たとえば、ユーザクリップ４８、ピアークリップ５０、ウェブサイトオーナクリップ５２、サードパーティ販売業者およびマーケティングアドバイザクリップ５４、５６が、カタログサーバシステム１２のデータベース３８に格納されてもよい。
【００１６】
カタログサーバ３６は、カタログクリップ登録データベース３８からのカタログクリップ４６を、カタログクライアント３２のカタログ表示領域３５へ供与するように構成されている。カタログサーバは、ウェブページをブラウザにダウンロードしたときにカタログサーバが受信した特定のＵＲＬに関連するカタログクリップを供与するようになっている。
【００１７】
カタログサーバは、データベースにリンクされ、当該データベースからカタログクリップを、クライアントデバイスのカタログ表示ウィンドウ枠上に表示するために、コンピュータネットワークを通じてクライアントに供与するように構成されている。
【００１８】
カタログクライアントは、クライアントデバイスにより通常実行可能であり、実行されていると、ユーザにウェブページのＵＲＬに関連付けされているユーザカタログクリップを作成させることを可能とするカタログツールを表示するように構成されている。カタログクリップは、カタログクライアントにより、カタログサーバへ送信され、カタログクリップ登録データベースに格納されているようになっている。また、カタログクライアントは、コンピュータネットワークを通じて、ブラウザ上に表示されている各ウェブページのＵＲＬを含んでいるメッセージをカタログサーバへ伝達し、カタログサーバにカタログクリップを要求し、カタログ表示ウィンドウ枠に表示するようにさらに構成されている。 
【００１９】
カタログサーバは、ブラウザにダウンロードされたウェブページのＵＲＬを含んでいるカタログクライアントからのメッセージを受信するように構成されている。また、その応答として、カタログサーバは、カタログクリップ登録データベースからのＵＲＬによりインデックスが付されているカタログクリップをカタログ表示ウィンドウ枠へ供与するように構成されている。 
【００２０】
マーケットリサーチサーバ４０は、カタログクリップおよびクライアント人口学的情報を作成し、閲覧し、ブロードキャストするクライアントに関するデータを追跡および格納するように構成されている。通常、ユーザは、ユーザクライアントを通じて人口学的情報を入力するように促され、その情報は、マーケットリサーチサーバまたはそれに関連付けされているデータベースに格納されている。マーケットリサーチサーバは、ＵＲＬにより、各ユーザクライアントに関連するクリップ（ユーザ指定のユーザクリップおよびピアークリップを含む）の統計を取るように構成されている。ユーザクライアントの有料のカタログ表示領域へ供与するためのマーケティングアドバイザクリップを選択するために、人口学的情報、クリップ情報および閲覧中のウェブページのＵＲＬがマーケットリサーチサーバにより用いられる。マーケティングアドバイザは、有料のクリップ表示画面を注文し、マーケティングアドバイザクライアント２６を通じてマーケットリサーチサーバに格納されたリアルタイムマーケティング情報をマーケティングアドバイザクライアント２６を通じて閲覧しうる。
【００２１】
トークンサーバ４２は、カタログクライアント３２の有料の表示領域（図４に示された４２）においてカタログクリップの販売を管理するように構成されている。トークンは、広告主（すなわち、販売業者、マーケティングアドバイザまたはウェブサイトオーナ）により購入され、有料の表示領域にカタログクリッピングを掲示するために用いられうる。さらに、トークンサーバは、以下に記載されているように、収益配分モデルに基づいて、有料のクリップ表示画面から得られる収益の配分を割り当てるように構成されている。
【００２２】
図４に示されているように、カタログクライアント３２は、ブラウザ２８に統合され（たとえば、モジュールとして）、かつ、ウェブページ３０と同時にブラウザを通じて表示されているように通常構成されている。カタログクライアント３２は、ブラウザにカタログ表示領域３５およびカタログツール３４を表示させるように構成されている。
【００２３】
カタログ表示領域３５により、ユーザは、有料領域４７または無料領域４８に表示されている、一群の選択されたＵＲＬと関連づけされたカタログクリップ４６を閲覧することができる。通常、ユーザは、無料領域に表示されているべきクリップのタイプを選択することができる。通常、ユーザクリップ４８は、デフォルト設定により無料領域で表示されているようになっており、ピアークリップ５０は、ユーザの選択に従って表示されているようになっている。さらに、カタログクライアントは、ユーザに、ピアークライアント２０を通じてピアークライアントデバイスに表示されているようにカタログサーバを通じてユーザクリップをブロードキャストさせることを可能とするように構成されうる。
【００２４】
有料領域に表示されているカタログクリップは、ウェブサイトオーナクリップ５２、マーケティングアドバイザクリップ５４および販売業者クリップ５６を含むカテゴリーにさらに編集されうる。このように構成することにより、ユーザは、特定の意図に従うカタログクリップを適時に捜し出すことができるようになる。
【００２５】
実施形態によっては、有料のカタログ表示領域にカタログクリップの配置が優先的になっている場合がある。たとえば、ウェブサイトオーナにより掲載されているクリップが、表示画面の上側に配置されてもよいし、または、さまざまな他の方法で強調表示されてもよい。または、最も高い入札ウェブサイトの順番に従って結果を掲載している多くのサーチエンジンにより用いられている慣習と同様に、クリップを表示するためにより多くのトークンを支払った販売業者に対して優先が与えられてもよい。
【００２６】
また、カタログ表示領域３５は、ユーザにカタログクリップ４６の編成および掲載を所望の順番に従って操作させることを可能とするように構成されているセレクションツール４９を含みうる。
【００２７】
図５に示されているように、例示的なセレクションツール４９は、カタログセレクションメニュー５１と、検索フィルタメニュー５３と、キーワード検索ツール５９とを含んでいる。
【００２８】
セレクションタイプメニュー５１は、符号５５により包括的に示されているさまざまなカタログセレクションを含んでいる。ユーザは、ある特定のＵＲＬに関連してユーザにより作成されたすべてのクリップを閲覧するために、「Ｍｙ  Ｃａｔａｌｏｇ」の如き特定のカタログセレクションを選択してもよい。他の例として、ユーザは、特定のＵＲＬに合致されたマーケティングアドバイザまたは販売業者により掲載されている任意の現在の販売促進用のクリップを閲覧するために「販売促進」カタログセレクションを選択してもよい。他の例としては、あるウェブページがある製品を表示しており、ユーザが「Ｐｒｉｃｅ  Ｍａｔｃｈ」カタログセレクションを選択して、対抗価格または潜在的低価格を提供与する、サードパーティの販売業者からのＵＲＬが合致するクリップを閲覧してもよい。この機能を用いることにより、購買者は、価格の選好（ｐｒｉｃｅ  ｐｒｅｆｅｒｅｎｃｅ）について他の（たとえば、ローカルな）商人に警告を出したい場合に、製品をクリップし、対抗価格についてその製品にフラグを立てることができる。これに対して、ローカルの商人は、その製品を購買者の目標価格で購買者に提示することにより応答してもよい。
【００２９】
検索フィルタメニュー５３は、参照番号５７により包括的に表されているさまざまなフィルタを含んでいる。ユーザは、カタログクリップ検索要求を絞り込むために、検索フィルタメニューから一または複数の検索フィルタを選択してもよい。一例として、ユーザは、特定の製造業者からの製品情報を含んでいるカタログクリップを検索するために「Ｍａｋｅｒ」検索フィルタを選択しうる。さらに、ユーザは、指定された製造業者からの製品のクリップを示す国内の販売業者だけが表示されているように、「Ｄｏｍｅｓｔｉｃ  Ｏｆｆｅｒ」フィルタをさらに選択しうる。
【００３０】
いくつかの例示的なカタログセレクションタイプおよび検索フィルタが表示されているが、いうまでもなく、カタログセレクションタイプおよびフィルタのさまざまな変形例が、関連するメニューにおいて提示されてもよい。たとえば、セレクションツールが、価格と格付けによってフィルタリングする検索フィルタを有するように、さらに構成されてもよい。実施形態によっては、カタログセレクションタイプおよび検索フィルタメニューが、選択肢を選びうるドロップダウンメニューまたはスクロール可能なリストの形態を有している場合もある。
【００３１】
キーワード検索ツール５９は、ユーザに、特定のキーワード／ＴＡＧを含んでいるクリップを検索させることを可能とするように構成されている。ユーザは、所望の結果を戻すべくキーワード検索を操作するために、カタログセレクションタイプメニューおよび／または検索フィルタメニューを用いうる。キーワード検索ツールは、検索要求の内容とほとんど一致するクリップのリストを表示領域に戻すようになっている。このようにして、ユーザは、所望のカタログクリップを見つけるためにさまざまなカタログを検索しうる。
【００３２】
カタログツール３４は、ユーザクライアントタブ４１と、販売業者クライアントタブ４２と、マーケティングアドバイザクライアントタブ４３とを有している。これらのタブにより、クライアントは、カタログクライアントのオペレーションを補助するツールを特徴とするメニューにアクセスすることができる。ユーザメニューは、クリップを作成するためのツール、クリップを管理するためのツールおよびピアーネットワークを管理するためのツールを含んでいる。販売業者メニューは、クリップを作成するためのツール、クリップを管理するためのツール、トークンを管理するためのツールおよびクリップ分析ツールを含んでいる。マーケティングメニューは、マーケティング解析ツール、クリップ作成ツールなどを含んでいる。
【００３３】
図６に示されているように、例示的なユーザクリップテンプレートメニュー６２は、符号６６により包括的に表されているクリップテンプレートを含んでいる。ユーザは、これらのクリップテンプレートにアクセスし、さまざまなカタログクリップを作成しうる。ユーザクリップテンプレートメニューは、製品テンプレート、人テンプレート、情報テンプレートおよびサービステンプレートを含んでいる。これらのテンプレートの各々は、ユーザに、ユーザ演算デバイスに表示されているウェブページの特徴である製品、人々、情報およびサービスのためのクリップを作成させることを可能とするカスタム化されたフィールドを含んでいる。
【００３４】
図７に示されているように、例示的な販売業者／マーケティングアドバイザのクリップテンプレートメニュー６６は、符号６８により包括的に表されているクリップテンプレートを通常含んでいる。これらのクリップテンプレートは、マーケティングアドバイザまたは販売業者に、製品、公共サービスアナウンス、情報、サービスおよび経歴のためのマーケティングアドバイザ／販売業者クリップ５４、５６を作成させることを可能とするように構成されたテンプレートにアクセスするために、ユーザにより選択されうる。
【００３５】
図８には、ユーザクリップテンプレートメニュー６２の製品選択肢を通じて選択されうる１つの例示的なテンプレート、すなわちユーザクリップ製品テンプレート７０が示されている。通常、ユーザクリップ製品テンプレート７０は、製品のイメージ写真／サムネイルビュー、製品を提供しているベンダーの名称、製品の文字による説明、製品のメーカ（製造業者）の名称、ユニバーサル製品コード（ＵＰＣ）、ヨーロッパ商品番号（ＥＡＮ）、日本商品番号（ＪＡＮ）、ＳＫＵなどのような製品コード、定価（ベンダーが製品に対して提示している価格）、および、ユーザが編成の目的で各クリップに対して割り当てうるユーザにより生成されたキーワードであるタグの如きデータを含んでいる。クリップが作成された日付および時間、製品のユーザまたはピアーによる格付けおよび製品の現在の入札価格の如き情報がさらに含まれてもよい。ユーザがカタログ表示ウィンドウ枠へまたはそこからクリップを追加または削除しうる追加／削除ボタンがさらに設けられてもよい。
【００３６】
図９には、トークンサーバ４２により供与されているように構成されたトークン追跡および管理ツール７２が示されている。ある与えられた販売業者（または、マーケティングアドバイザ）について、トークン追跡および管理ツールは、その販売業者のＩＤおよびその販売業者が広告を出しているＵＲＬを表示するように構成されている。また、ツール７２は、トークン量を表示するようにさらに構成されていることに加えて、販売業者にさらなるトークンを購入させ、現在の取引の全トークンコストを閲覧させることを可能とするメカニズムを有している。また、ツール７２は、格付けの如き販売業者クリップ情報、掲示クリップ、オーナサイトクリップ、アクティブクリップ、および、掲示クリップの変換割合またはクリック割合を表示するための領域をさらに有している。また、ツール７２は、ウェブサイトの表示、および、ヒット数に基づく格付け、ＵＲＬの総合的な外観もしくは見た目、サードパーティの掲示（ｐｏｓｔ）、ＵＲＬのトークン対クリップ比、および、ＵＲＬに関連づけされたクリップにより生成される収益を含むトークン情報のための領域をさらに有している。
【００３７】
図１０には、カタログサーバ３６、カタログウィンドウ枠３５、ウェブページウィンドウ枠３１およびウェブサイトサーバ１３の間の典型的な相互作用が示されている。まず、ブラウザ２８のウェブページウィンドウ枠３１は、あるＵＲＬに設けられているウェブページ３０をダウンロードするための要求を、ウェブサイトサーバ１３へ送信する。ウェブサイトサーバは、ウェブページウィンドウ枠上に表示するために、ブラウザに対してウェブサイトデータを送信することにより応答する。カタログクライアント３１は、ウェブページのＵＲＬを判定し、カタログクリッピングレジストリデータベース内においてこのウェブページのＵＲＬに従ってインデックスが付されるクリップを求める要求をカタログサーバに対して送信する。このリクエストは、カタログサーバに格納されているウェブページのＵＲＬ、現在のユーザ設定値（セレクションツール４９を通じて入力されるユーザ人口統計学的情報およびユーザカタログ表示設定値を含む）に基づいて、カタログサーバにより処理される。ＵＲＬに関係付けされているカタログクリップのすべてが、カタログウィンドウ枠を通じてユーザに提供されことが一般的であり、ユーザは、セレクションツールを用いてこれらをフィルタリングしうる。これに代えて、カタログサーバは、たとえばクリップ統計量を含む前もって決定されているマーケットリサーチ判断基準に基づいて、マーケットリサーチサーバで登録されている有料のクリップ表示画面に対する保留中の注文の部分集合を選択することにより、カタログウィンドウ枠に表示するためのＵＲＬに関連づけされているカタログクリップの部分集合を選択してもよい。クリップ統計量には、カタログサーバ上におけるあるＵＲＬに関連づけされているクリップが閲覧される回数、クリップのクリック率、クリックに関連するキーワードおよびタグ、キーワードおよびタグの値（たとえば、価格が３０．００ドルを超える）、ユーザ人口統計学的情報のようなユーザ固有情報、ならびに、各ユーザプロファイルに関連するユーザクリップデータおよびピアークリップデータが含まれる。カタログサーバは、先にリストされた要因に基づいて適切なクリップを選択し、カタログウィンドウ枠の無料領域および／または有料領域に表示するために、選択されたクリップを送信するように構成されうる。
【００３８】
図１１には、ウェブマーケティングシステムの典型的な相互作用が示されており、これに従って、ウェブサイトオーナ、販売業者またはマーケティングアドバイザの如き有料広告主が有料クリップの表示するためのトークンを購入しうるし、これにより、ウェブサイトオーナおよびカタログサーバシステムがクリップの表示により生成される収入を共有しうる。まず、クライアント２２、２４、２６のうちの１つの如き有料広告主クライアントが、トークンサーバ４２へトークン要求を送信し、トークンサーバが、それらのトークンに必要な料金を計算して応答する。次いで、この料金は、有料広告主クライアントにより支払われ、トークンが、クライアント２２、２４または２６に付与されか、または、カタログサーバシステムの有料広告主アカウントに格納される。
【００３９】
クリップ表示画面を注文するために、有料マーケティングアドバイザは、カタログサーバにクリップを送信し、クリップ表示画面を購入するためにトークンを送信する。クリップを表示すべきＵＲＬについてのトークン情報およびユーザ人口統計学的情報（マーケティングアドバイザクリップの場合）とともに、他の広告優先度（ａｄｖｅｒｔｉｓｉｎｇ  ｐｒｅｆｅｒｅｎｃｅ）がカタログサーバに送信される。
【００４０】
カタログ表示ウィンドウ枠３１が上記のＵＲＬのウェブページを要求すると、図１０に関連して先に記載されているように、ウェブサイトサーバ１３は、クライアント表示ウィンドウ枠にサーバを供与し、ユーザクライアントデバイス上のカタログクライアントは、カタログウィンドウ枠に上記のＵＲＬに対応するクリップを通常要求させる。カタログサーバ３６は、上述のさまざまな選択パラメータに基づいて、上述のトークンにより支払われるクリップを選択し、そのクリップを、カタログ表示ウィンドウ枠に供与しうる。いったんクリップが供与されると、カタログサーバは、クリップがトークンサーバに供与されていることを通常報告する。次いで、トークンサーバは、クリップ表示画面に関連づけされている収益配分モデルを参照し、カタログサーバおよびウェブサイトオーナの各々に対する収益配分を計算し、必要に応じて、計算された収益の配分をウェブサイトサーバおよびカタログサーバに分配するようになっている。 
【００４１】
図１２には、カタログサーバにおいてカタログクリップを自動的に生成する方法が示されている。まず、ブラウザ２８のウェブページウィンドウ枠３１がウェブサイトサーバ１３にウェブページを要求しうる。ウェブサイトサーバがウェブページウィンドウ枠にウェブページを供与し、次いで、カタログクライアントがカタログウィンドウ枠にカタログサーバからのクリップを要求させるように構成されている。次いで、クリップを自動的に生成するために、カタログサーバがウェブページのダウンロードを要求し、ウェブサイトサーバがウェブページをカタログサーバに送信して処理しうる。カタログサーバはウェブページを処理し、価格データ、ＳＫＵデータ、ＵＲＬ、製品イメージ／サムネイルなどの如きデータを自動的に抽出するために、ウェブページを構文解析しうる。カタログサーバ３６は、このデータに基づいた、新しく生成されたカタログクリップを作成し、ブラウザ２８のカタログウィンドウ枠３５にカタログクリップに役立つ。このようにして、上記のＵＲＬのクリップがサーバ上に前もって格納されていない場合でさえ、カタログサーバは、クリップを自動的に生成し、それらのクリップをユーザクライアントデバイス上に表示するために供与するように構成されうる。したがって、いうまでもなく、カタログクリップが、オンザフライで（そのときに急いで）、すなわちＵＲＬに関連するクリップを求める要求がカタログサーバにおいて受信されてから生成されてもよい。
【００４２】
ブラウザを実行し、ユニフォームリソースロケータ（ＵＲＬ）を通じてサードパーティのサーバからダウンロードされるウェブページを表示するように構成されるクライアントデバイスに用いられるコンピュータを用いたマーケティング方法が、本発明に従って達成されうる。かかる方法は、通常、クライアントデバイスから直前にダウンロードされたウェブページのＵＲＬをカタログサーバで受信することと、上記のＵＲＬに関連する１つのカタログクリップをカタログサーバからクライアントデバイスへ供与することとを含んでいる。この１つのカタログクリップは、通常、カタログサーバからクライアントデバイスへ供与された、上記のＵＲＬに関連づけられた複数のカタログクリップのうちの１つのカタログクリップである。また、複数のカタログクリップには、通常、カタログ表示ウィンドウ枠の有料領域および無料領域に表示されるようにそれぞれ対応して構成されている有料カタログクリップおよび無料カタログクリップが含まれている。
【００４３】
かかる方法は、ピアーカタログクリップをカタログ表示ウィンドウ枠に表示する要求をクライアントデバイスから受信することと、カタログ表示ウィンドウ枠にピアーカタログクリップを供与することとを含みうる。また、かかる方法は、ピアークライアントデバイスのカタログ表示ウィンドウ枠に表示されるべきクライアントデバイスからのユーザクリップをブロードキャストする要求をクライアントデバイスから受信することと、ピアークライアントデバイスのカタログ表示ウィンドウ枠にユーザクリップを表示することとをさらに含みうる。
【００４４】
上記の実施形態は、カタログサーバにより提供されるＵＲＬ合致空間を作成するために用いられうる。この空間では、ユーザ、ピアー、ウェブサイトオーナおよびサードパーティのマーケティングアドバイザおよび販売業者により作成されるカタログクリップがユーザに対して表示されることにより、あるＵＲＬにおいて製品およびサービスに関するさらなる情報がユーザに対して提供されうる。さらに、かかるシステムにより、カタログサーバまたはサードパーティは、トークンサーバを通じて、有料クリップの表示に対する料金を収集し、これらの料金を、ウェブサイトオーナの如き他の参加者と配分することができる。マーケットリサーチ価値は、あるＵＲＬに関連するクリップを解析することに加え、各ユーザに関連づけされるユーザクリップおよびピアークリップを解析することにより導き出されうる。カタログサーバは、あるユーザに関連づけされるユーザクリップおよびピアークリップならびにそのユーザの人口統計に基づいてマーケティングアドバイザが有料のクリップ表示画面を購入することができるようにする上記の価値を貨幣化することを可能とすることにより、観客を絞り、各クリップ表示画面の価値を上げることを可能としている。
【００４５】
本発明に従って作成されるドメイン合致空間が用いられる一つの例示的な実施形態は、ケーブル、ブロードキャストおよび衛星を用いたテレビおよびラジオのプログラムのための電子番組ガイドを特徴とするウェブサイトである。電子番組ガイド中のリストがＵＲＬにより分けられていても良いし、また、カタログサーバが、各ＵＲＬ定義のリストに対応するドメイン合致クリップを供与するように構成されうる。マーケティングアドバイザおよび販売業者は、適切なクリップ表示画面を注文することにより、このＵＲＬ空間に投資しうる。たとえば、電子番組ガイド内の陸上競技プログラムを閲覧しているユーザに、靴を販売するためのマーケティングアドバイザおよび販売業者のカタログクリップが提示されうる。
【００４６】
しかし、他の例示的な利用シナリオは、上記のシステムを用いて区分式広告を掲載することである。ユーザは、新製品を特長とするウェブページの隣に中古製品の広告を有しているクリップを掲載するように登録しうる。したがって、中古の自転車の販売業者は、中古の自転車を特徴とする有料のクリップを、自転車小売り業者のウェブページの隣に表示しうる。
【００４７】
もちろん、これらはほんの二つの例に過ぎない。いうまでもなく、上記の実施形態は複数の他のシナリオで用いられてもよい。
【００４８】
本発明が先の好ましい実施形態に関連して具体的に示されているが、当業者にとって明らかなように、それらに対して、本発明の精神および範囲から逸脱することなく、複数の変形が加えられてもよい。本発明の記載は、本明細書に記載される構成要素の新規なおよび自明でない組み合わせをすべて含まれることが理解されるべきであり、本出または後の出願において、これらの構成要素のいかなる新規のおよび自明でない組み合わせに合わせてクレームを出願しうる。特許請求の範囲に、「１つの」または「第一の」構成要素またはその均等物という記載がある場合、いうまでもなく、そのような請求項は、一または複数のそのような構成要素が含まれることを意味するとともに、二つまたはそれ以上のそのような構成要素が含まれることを必要とすることもなければそのことを排除することもない。 
【図面の簡単な説明】
【００４９】
【図１】本発明の１つの実施形態にかかるマーケティングシステムを備えたネットワーク上におけるクライアントの相互作用を示すブロック図である。
【図２】図１のマーケティングシステムのクライアントにより掲示されたＵＲＬ合致クリップを示す概略図である。
【図３】図１のマーケティングシステムによりアクセスされたネットワーク構成要素を示す概略図である。
【図４】典型的なウェブブラウザアプリケーションと同時に示された本発明のマーケティングシステムのグラフィカルユーザインターフェイスの一例である。
【図５】図１のマーケティングシステムのセレクションツールの構成部品を示すブロック図である。
【図６】本発明にかかるマーケティングシステムのユーザクリップテンプレートのタイプを示すブロック図である。
【図７】図１のマーケティングシステムの販売業者クリップテンプレートおよびマーケティングアドバイザクリップテンプレートのタイプを示すブロック図である。
【図８】図１のマーケティングシステムのユーザクリップ製品テンプレートの一例を示すブロック図である。
【図９】図１のマーケティングシステムのトークン追跡および管理ツールの構成部品を示すブロック図である。
【図１０】図１のマーケティングシステムに従って、あるＵＲＬに関連づけされたクリップを検索および表示する方法を示すネットワークダイアグラム図である。
【図１１】図１のマーケティングシステムに従って、有料広告主にトークンを取得させ、クリップを掲載させ、次いで、収益を分配させる方法を示すネットワークダイアグラム図である。
【図１２】図１のマーケティングシステムに従って、ユーザに新しいクリップを作成させ表示させる方法を示すネットワークダイアグラム図である。
【図１】
2008525872.tif 000003
【図２】
2008525872.tif 000004
【図３】
2008525872.tif 000005
【図４】
2008525872.tif 000006
【図５】
2008525872.tif 000007
【図６】
2008525872.tif 000008
【図７】
2008525872.tif 000009
【図８】
2008525872.tif 000010
【図９】
2008525872.tif 000011
【図１０】
2008525872.tif 000012
【図１１】
2008525872.tif 000013
【図１２】
2008525872.tif 000014